(57)【特許請求の範囲】
【請求項１】
被試験回路と、
外部の試験装置が接続される２つの外部端子と、
前記被試験回路の少なくとも１つの内部端子のうち、試験対象とする内部端子を前記外部端子に接続する切替部と、
前記２つの外部端子の間を接続又は切断し、接続状態の伝達特性が、前記外部端子と前記被試験回路の前記内部端子のそれぞれとの間の伝達特性の算出基準となる中継部と、
を備えるデバイス。
【請求項２】
前記中継部は、伝達特性が外部の前記試験装置により前記２つの外部端子を介して測定される
請求項１に記載のデバイス。
【請求項３】
前記中継部が接続状態における前記２つの外部端子の間の経路の伝達特性は、前記切替部により接続された前記外部端子と前記内部端子との間の経路の伝達特性と同一である
請求項２に記載のデバイス。
【請求項４】
前記切替部は、前記少なくとも１つの内部端子のそれぞれに対応して設けられ、共通接点と対応する前記内部端子との間を接続又は切断する少なくとも１つの切替スイッチを有し、
前記中継部は、
入力側の前記外部端子と前記共通接点との間を接続又は切断する入力側中継スイッチと、
出力側の前記外部端子と前記共通接点との間を接続又は切断する出力側中継スイッチと、
を有する
請求項１から３の何れかに記載のデバイス。
【請求項５】
前記切替部は、前記試験装置から信号が供給される前記少なくとも１つの内部端子のそれぞれに対応して設けられ、入力側の前記外部端子と対応する前記内部端子との間を接続又は切断する少なくとも１つの入力側切替スイッチを有し、
前記中継部は、入力側の前記外部端子と出力側の前記外部端子との間を接続又は切断する中継スイッチを有する
請求項１から３の何れかに記載のデバイス。
【請求項６】
前記切替部は、前記試験装置により信号が取得される前記少なくとも１つの内部端子のそれぞれに対応して設けられ、出力側の前記外部端子と対応する前記内部端子との間を接続又は切断する出力側切替スイッチを有し、
前記中継部は、入力側の前記外部端子と出力側の前記外部端子との間を接続又は切断する中継スイッチを有する
請求項１から３の何れかまたは５に記載のデバイス。
【請求項７】
前記切替部は、
前記少なくとも１つの内部端子のそれぞれに対応して設けられ、入力側の前記外部端子と対応する前記内部端子との間を接続又は切断する少なくとも１つの入力側切替スイッチと、
前記少なくとも１つの内部端子のそれぞれに対応して設けられ、出力側の前記外部端子と対応する前記内部端子との間を接続又は切断する少なくとも１つの出力側切替スイッチと、
を有し、
前記中継部は、入力側の前記外部端子と出力側の前記外部端子との間を接続又は切断する中継スイッチを有する
請求項１から３の何れかに記載のデバイス。
【請求項８】
外部からの指示に応じて前記切替部及び前記中継部の接続又は切断の状態を制御する切替制御部
を更に備える請求項１から７の何れかに記載のデバイス。
【請求項９】
外部から入力側の前記外部端子に与えられた予め定められた波形パターンの信号を検出するパターン検出部を更に備え、
前記切替制御部は、前記パターン検出部が予め定められた波形パターンの信号を検出したことに応じて、前記切替部及び前記中継部の接続又は切断の状態を制御する
請求項８に記載のデバイス。
【請求項１０】
前記パターン検出部が前記波形パターンを検出したことに応じて、応答信号を出力側の前記外部端子を介して外部に出力する検出応答部を更に備える
請求項９に記載のデバイス。
【請求項１１】
被試験デバイスを試験する試験装置であって、
前記被試験デバイスは、
被試験回路と、
前記被試験回路の少なくとも１つの内部端子のうち、試験対象とする内部端子を当該試験装置が接続される外部端子に接続する切替部と、
を備え、
当該試験装置は、
２つの前記外部端子の間を接続又は切断し、接続状態の伝達特性が前記外部端子と前記被試験回路の前記内部端子のそれぞれとの間の伝達特性の算出基準となる中継部を、接続状態に制御して、前記２つの外部端子を介して前記中継部の伝達特性を測定する測定部と、
前記外部端子及び前記切替部を介して前記被試験回路へと供給すべき信号、又は、前記切替部及び前記外部端子を介して前記被試験回路から取得した信号を、測定した前記中継部の伝達特性に基づき補償する補償部と、
を備える試験装置。
【請求項１２】
当該試験装置は、
前記被試験回路の試験において、前記外部端子及び前記切替部を介して前記被試験回路へ信号を供給し、又は、前記切替部及び前記外部端子を介して前記被試験回路から出力信号を取得する試験部を
更に備え、
前記試験部は、前記被試験回路の試験において、前記中継部を切断状態とする
請求項１１に記載の試験装置。
【請求項１３】
前記切替部は、前記少なくとも１つの内部端子のそれぞれに対応して設けられ、共通接点と対応する前記内部端子との間を接続又は切断する少なくとも１つの切替スイッチを有し、
前記中継部は、
入力側の前記外部端子と前記共通接点との間を接続又は切断する入力側中継スイッチと、
出力側の前記外部端子と前記共通接点との間を接続又は切断する出力側中継スイッチと、
を有し、
前記測定部は、前記中継部の伝達特性の測定において、前記入力側中継スイッチ及び前記出力側中継スイッチを接続状態とする
請求項１１から１２の何れかに記載の試験装置。
【請求項１４】
前記切替部は、前記試験装置から信号が供給される少なくとも１つの前記内部端子のそれぞれに対応して設けられ、出力側の前記外部端子と対応する前記内部端子との間を接続又は切断する入力側切替スイッチを有し、
前記中継部は、入力側の前記外部端子と出力側の前記外部端子との間を接続又は切断する中継スイッチを有し、
前記測定部は、前記中継部の伝達特性の測定において、前記中継スイッチを接続状態とする
請求項１１から１２の何れかに記載の試験装置。
【請求項１５】
前記切替部は、前記試験装置により信号が取得される少なくとも１つの前記内部端子のそれぞれに対応して設けられ、出力側の前記外部端子と対応する前記内部端子との間を接続又は切断する出力側切替スイッチを有し、
前記中継部は、入力側の前記外部端子と出力側の前記外部端子との間を接続又は切断する中継スイッチを有し、
前記測定部は、前記中継部の伝達特性の測定において、前記中継スイッチを接続状態とする
請求項１１から１２の何れかまたは１４に記載の試験装置。
【請求項１６】
前記切替部は、
前記少なくとも１つの内部端子のそれぞれに対応して設けられ、入力側の前記外部端子と対応する前記内部端子との間を接続又は切断する少なくとも１つの入力側切替スイッチと、
前記少なくとも１つの内部端子のそれぞれに対応して設けられ、出力側の前記外部端子と対応する前記内部端子との間を接続又は切断する少なくとも１つの出力側切替スイッチと、
を有し、
前記中継部は、入力側の前記外部端子と出力側の前記外部端子との間を接続又は切断する中継スイッチを有し、
前記測定部は、前記中継部の伝達特性の測定において、前記中継スイッチを接続状態とする
請求項１１から１２の何れかに記載の試験装置。
【請求項１７】
前記測定部は、
前記中継スイッチを切断状態、前記入力側切替スイッチを接続状態、及び、前記出力側切替スイッチを接続状態として、入力側の前記外部端子と出力側の前記外部端子との間にループバック経路を形成し、
形成した前記ループバック経路の伝達特性を、前記中継部の伝達特性に基づき補償された信号を供給して測定し、
前記補償部は、
入力側の前記外部端子及び前記入力側切替スイッチを介して前記被試験回路へと供給すべき信号を前記中継部の伝達特性に基づき補償し、
前記出力側切替スイッチ及び出力側の前記外部端子を介して前記被試験回路から取得した信号を、測定した前記ループバック経路の伝達特性に基づき補償する
請求項１６に記載の試験装置。
【請求項１８】
当該試験装置は、
前記中継部の伝達特性の測定または前記被試験回路の試験に先立って、前記切替部を指定した接続状態とさせるための波形パターンを、入力側の前記外部端子に与える設定部
を更に備え、
前記被試験デバイスは、
前記試験装置から入力側の前記外部端子に与えられた前記波形パターンの信号を検出するパターン検出部と、
前記パターン検出部が前記波形パターンの信号を検出したことに応じて、前記切替部の接続又は切断の状態を制御する切替制御部と
を更に備える
請求項１１から１７の何れかに記載の試験装置。
【請求項１９】
前記被試験デバイスは、
前記パターン検出部が前記波形パターンを検出したことに応じて、応答信号を出力側の前記外部端子を介して当該試験装置に出力する検出応答部
を更に備え、
前記設定部は、前記応答信号を検出したことに応じて、前記中継部の伝達特性の測定または前記被試験回路の試験を開始させる
請求項１８に記載の試験装置。
【請求項２０】
被試験デバイスを試験する試験方法であって、
前記被試験デバイスは、
被試験回路と、
前記被試験回路の少なくとも１つの内部端子のうち、試験対象とする内部端子を試験装置が接続される外部端子に接続する切替部と、
を備え、
２つの前記外部端子の間を接続又は切断し、接続状態の伝達特性が前記外部端子と前記被試験回路の前記内部端子のそれぞれとの間の伝達特性の算出基準となる中継部を、接続状態に制御して、前記２つの外部端子を介して前記中継部の伝達特性を測定し、
前記外部端子及び前記切替部を介して前記被試験回路へと供給すべき信号、又は、前記切替部及び前記外部端子を介して前記被試験回路から取得した信号を、測定した前記中継部の伝達特性に基づき補償する
試験方法。
【請求項２１】
被試験ウエハに形成された被試験回路を試験する試験装置であって、
前記被試験回路と信号を授受する試験回路を有する試験ウエハと、
前記試験回路と前記被試験回路とを電気的に接続する接続ウエハと、
を備え、
前記接続ウエハは、
前記試験回路が接続される２つの外部端子と、
前記被試験回路の少なくとも１つの内部端子のうち、試験対象とする内部端子を前記外部端子に接続する切替部と、
前記２つの外部端子の間を接続又は切断し、接続状態の伝達特性が、前記外部端子と前記被試験回路の前記内部端子のそれぞれとの間の伝達特性の算出基準となる中継部と、
を備え、
前記試験回路は、
前記中継部を接続状態に制御して、前記２つの外部端子を介して前記中継部の伝達特性を測定する測定部と、
前記外部端子及び前記切替部を介して前記被試験回路へと供給すべき信号、又は、前記切替部及び前記外部端子を介して前記被試験回路から取得した信号を、測定した前記中継部の伝達特性に基づき補償する補償部と、
を備える
試験装置。
【発明の詳細な説明】
【技術分野】
【０００１】
本発明は、デバイス、試験装置及び試験方法に関する。本出願は、下記の米国出願に関連し、下記の米国出願からの優先権を主張する出願である。文献の参照による組み込みが認められる指定国については、下記の出願に記載された内容を参照により本出願に組み込み、本出願の一部とする。
出願番号  １２／２６１，０５６    出願日  ２００８年１０月３０日
【背景技術】
【０００２】
デバイス試験において、デバイス内の任意の回路点に信号を外部から供給する場合又はデバイス内の任意の回路点の信号を外部から取得する場合、当該デバイスに、予め、試験用の外部端子及び当該外部端子と任意の回路点との間を接続する信号経路を設けなければならない。従って、試験において、デバイス内の多数の回路点に対する信号の供給又は信号の取得を行わなければならない場合、多数の外部端子をデバイスに設けなければならないので、デバイスの回路規模が大きくなってしまっていた。
【先行技術文献】
【特許文献】
【０００３】
【特許文献１】米国特許第５６５９３１２号明細書
【特許文献２】特開平０３−２８４８６２号公報
【特許文献３】特開２００２−２３６１５１号公報
【発明の概要】
【発明が解決しようとする課題】
【０００４】
特許文献１には、試験用のＤＡコンバータ及びＡＤコンバータを内部に備えるデバイスが記載されている。特許文献２には、複数の被試験アナログ回路を、アナログスイッチを経由して１つの試験用の端子に接続した半導体装置が記載されている。特許文献１及び２に記載の発明によれば、試験用の外部端子の数を少なくすることができる。【０００５】
特許文献３には、被試験回路内のＤＡコンバータの出力を、被試験回路の外部を経由して、当該被試験回路内のＡＤコンバータにループバックさせて、当該被試験回路に自己診断を行わせる補助装置が記載されている。特許文献３に記載の発明によれば、被試験回路の外部にループバック経路を設けるので、当該ループバック経路を低歪みな経路とすることができ、この結果、精度良く試験することができる。【０００６】
しかし、特許文献１に記載の発明では、試験用のＤＡコンバータ及びＡＤコンバータをデバイス内に設けなければならないので、コストが高くなってしまっていた。また、特許文献１に記載の発明では、測定精度がデバイス内部のＤＡコンバータ及びＡＤコンバータの性能に限定されるので、精度の良い測定をすることが困難であった。【０００７】
また、特許文献２に記載の発明では、アナログスイッチによる信号の歪みが生じて、精度の良い測定をすることが困難であった。また、特許文献３に記載の発明では、被試験デバイス内の任意の回路点の信号を測定することが困難であった。
【課題を解決するための手段】
【０００８】
そこで本発明は、上記の課題を解決することのできるデバイス、試験装置及び試験方法を提供することを目的とする。この目的は請求の範囲における独立項に記載の特徴の組み合わせにより達成される。また従属項は本発明の更なる有利な具体例を規定する。【０００９】
上記課題を解決するために、本発明の第１の態様においては、被試験回路と、外部の試験装置が接続される２つの外部端子と、前記被試験回路の少なくとも１つの内部端子のうち、試験対象とする内部端子を前記外部端子に接続する切替部と、前記２つの外部端子の間を接続又は切断し、接続状態の伝達特性が、前記外部端子と前記被試験回路の前記内部端子のそれぞれとの間の伝達特性の算出基準となる中継部と、を備えるデバイスを提供する。【００１０】
本発明の第２の態様においては、被試験デバイスを試験する試験装置であって、前記被試験デバイスは、被試験回路と、前記被試験回路の少なくとも１つの内部端子のうち、試験対象とする内部端子を当該試験装置が接続される外部端子に接続する切替部と、を備え、当該試験装置は、２つの前記外部端子の間を接続又は切断し、接続状態の伝達特性が前記外部端子と前記被試験回路の前記内部端子のそれぞれとの間の伝達特性の算出基準となる中継部を、接続状態に制御して、前記２つの外部端子を介して前記中継部の伝達特性を測定する測定部と、前記外部端子及び前記切替部を介して前記被試験回路へと供給すべき信号、又は、前記切替部及び前記外部端子を介して前記被試験回路から取得した信号を、測定した前記中継部の伝達特性に基づき補償する補償部と、を備える試験装置を提供する。【００１１】
本発明の第３の態様においては、被試験デバイスを試験する試験方法であって、前記被試験デバイスは、被試験回路と、前記被試験回路の少なくとも１つの内部端子のうち、試験対象とする内部端子を試験装置が接続される外部端子に接続する切替部と、を備え、２つの前記外部端子の間を接続又は切断し、接続状態の伝達特性が前記外部端子と前記被試験回路の前記内部端子のそれぞれとの間の伝達特性の算出基準となる中継部を、接続状態に制御して、前記２つの外部端子を介して前記中継部の伝達特性を測定し、前記外部端子及び前記切替部を介して前記被試験回路へと供給すべき信号、又は、前記切替部及び前記外部端子を介して前記被試験回路から取得した信号を、測定した前記中継部の伝達特性に基づき補償する試験方法を提供する。【００１２】
本発明の第４の態様においては、被試験ウエハに形成された被試験回路を試験する試験装置であって、前記被試験回路と信号を授受する試験回路を有する試験ウエハと、前記試験回路と前記被試験回路とを電気的に接続する接続ウエハと、を備え、前記接続ウエハは、前記試験回路が接続される２つの外部端子と、前記被試験回路の少なくとも１つの内部端子のうち、試験対象とする内部端子を前記外部端子に接続する切替部と、前記２つの外部端子の間を接続又は切断し、接続状態の伝達特性が、前記外部端子と前記被試験回路の前記内部端子のそれぞれとの間の伝達特性の算出基準となる中継部と、を備え、前記試験回路は、前記中継部を接続状態に制御して、前記２つの外部端子を介して前記中継部の伝達特性を測定する測定部と、前記外部端子及び前記切替部を介して前記被試験回路へと供給すべき信号、又は、前記切替部及び前記外部端子を介して前記被試験回路から取得した信号を、測定した前記中継部の伝達特性に基づき補償する補償部と、を備える試験装置を提供する。【００１３】
なお、上記の発明の概要は、本発明の必要な特徴の全てを列挙したものではなく、これらの特徴群のサブコンビネーションもまた、発明となりうる。
【図面の簡単な説明】
【００１４】
【図１】図１は、本実施形態に係る試験装置１０及び被試験デバイス２０の構成を示す。
【図２】図２は、中継部２８の伝達特性の測定時における試験装置１０の処理フローの一例を示す。
【図３】図３は、被試験回路２２の試験における試験装置１０の処理フローの一例を示す。
【図４】図４は、本実施形態の第１変形例に係る試験装置１０及び被試験デバイス２０の構成を示す。
【図５】図５は、本実施形態の第２変形例に係る試験装置１０及び被試験デバイス２０の構成を示す。
【図６】図６は、第２変形例に係る試験装置１０の、中継部２８の伝達特性の測定時における処理フローの一例を示す。
【図７】図７は、第２変形例に係る試験装置１０の、被試験回路２２の試験における処理フローの一例を示す。
【図８】図８は、本実施形態の第３変形例に係る試験装置１０及び被試験デバイス２０の構成を示す。
【図９】図９は、本実施形態の第４変形例に係る試験装置１０及び被試験ウエハ３２０の構成を示す。
【図１０】図１０は、本実施形態の第５変形例に係る試験装置１０及び被試験デバイス２０の構成を示す。
【発明を実施するための形態】
【００１５】
以下、発明の実施の形態を通じて本発明を説明するが、以下の実施形態は請求の範囲にかかる発明を限定するものではなく、また実施形態の中で説明されている特徴の組み合わせの全てが発明の解決手段に必須であるとは限らない。
【００１６】
図１は、本実施形態に係る試験装置１０及び被試験デバイス２０の構成を示す。試験装置１０は、被試験デバイス２０を試験する。
【００１７】
被試験デバイス２０は、例えばＩＣ又はＬＳＩ等の半導体装置であってよい。被試験デバイス２０は、被試験回路２２と、２つの試験用の外部端子２４と、切替部２６と、中継部２８と、切替制御部３０とを備える。
【００１８】
被試験回路２２は、当該被試験デバイス２０の試験において、試験装置１０による試験対象となる。被試験回路２２は、少なくとも１つの内部端子３２を有する。それぞれの内部端子３２は、例えば当該被試験デバイス２０の設計者等により設定された任意の回路点であって、当該被試験デバイス２０のデバイス試験において、試験装置１０から信号が供給され、又は、試験装置１０により信号が取得される。
【００１９】
２つの外部端子２４は、当該被試験デバイス２０の試験において、外部の試験装置１０が接続される。２つの外部端子２４のうち一方は、試験装置１０から信号が供給される入力側の外部端子２４−１であり、他方は、試験装置１０により信号が取得される出力側の外部端子２４−２である。
【００２０】
切替部２６は、被試験回路２２の少なくとも１つの内部端子３２のうち、試験対象とする内部端子３２を外部端子２４に接続する。即ち、切替部２６は、入力側の外部端子２４−１又は出力側の外部端子２４−２と、複数の内部端子３２のそれぞれのうち試験対象として指定された１つの内部端子３２との間を接続する。そして、切替部２６は、入力側の外部端子２４−１又は出力側の外部端子２４−２と、試験対象として指定されていない他のそれぞれの内部端子３２との間を切断する。
【００２１】
中継部２８は、２つの外部端子２４の間を接続又は切断する。即ち、中継部２８は、入力側の外部端子２４−１と出力側の外部端子２４−２との間を接続又は切断する。
【００２２】
切替制御部３０は、外部の試験装置１０からの指示に応じて切替部２６及び中継部２８の接続又は切断の状態を制御する。切替制御部３０は、例えば、２つの外部端子２４以外の試験用の外部端子を介して、試験装置１０からの指示を受け取ってよい。これに代えて、切替制御部３０は、例えば、通常動作時においてＣＰＵ等からコマンドを受け取る端子を介して、試験装置１０からの指示を受け取ってもよい。
【００２３】
ここで、中継部２８は、接続状態の伝達特性が、外部端子２４と被試験回路２２の内部端子３２のそれぞれとの間の伝達特性の算出基準とされている。そして、中継部２８は、伝達特性が、外部の試験装置１０により２つの外部端子２４（入力側の外部端子２４−１及び出力側の外部端子２４−２）を介して測定可能とされている。
【００２４】
例えば、中継部２８が接続状態における２つの外部端子２４の間の経路の伝達特性は、切替部２６により接続された外部端子２４と内部端子３２との間の経路の伝達特性と同一であってよい。また、例えば、中継部２８が接続状態における２つの外部端子２４の間の経路の回路構成は、切替部２６により接続された外部端子２４と内部端子３２との間の回路構成と同一であってよい。
【００２５】
このような被試験デバイス２０は、被試験回路２２内の多数の内部端子３２を切り替えて外部端子２４に接続するので、試験用の外部端子２４の数を少なくすることができる。更に、被試験デバイス２０は、２つの外部端子２４の間を接続する中継部２８の伝達特性が、外部端子２４と試験対象となる内部端子３２との間の経路の伝達特性の算出の基準となっている。これにより、被試験デバイス２０によれば、外部の試験装置１０に対して、中継部２８の伝達特性を測定させて、外部端子２４と試験対象となる内部端子３２との間の信号歪みを補償した試験をさせることができる。よって、このような被試験デバイス２０によれば、試験装置１０に精度良く試験をさせることができる。
【００２６】
図１の例においては、切替部２６は、少なくとも１つの切替スイッチ４０を有する。少なくとも１つの切替スイッチ４０のそれぞれは、少なくも１つの内部端子３２のそれぞれに対応して設けられる。それぞれの切替スイッチ４０は、共通接点４１と対応する内部端子３２との間を接続又は切断する。
【００２７】
また、図１の例においては、中継部２８は、入力側の外部端子２４−１と共通接点４１との間を接続又は切断する入力側中継スイッチ４２と、出力側の外部端子２４−２と共通接点４１との間を接続又は切断する出力側中継スイッチ４４とを有する。当該中継部２８を接続状態とする場合（即ち、入力側の外部端子２４−１と出力側の外部端子２４−２との間を接続する場合）には、入力側中継スイッチ４２及び出力側中継スイッチ４４の両方が接続状態とされる。また、当該中継部２８を切断状態とする場合（即ち、入力側の外部端子２４−１と出力側の外部端子２４−２との間を切断する場合）には、入力側中継スイッチ４２又は出力側中継スイッチ４４の少なくとも一方が切断状態とされる。
【００２８】
このような図１の例において、それぞれの切替スイッチ４０、入力側中継スイッチ４２、及び、出力側中継スイッチ４４は、互いに同一の特性を有する。従って、２つの外部端子２４の間は、同一特性の２つのスイッチを介して接続される。また、２つの外部端子２４のそれぞれと内部端子３２のそれぞれとの間における、複数の信号経路のそれぞれも、同一特性の２つのスイッチを介して接続される。従って、このような本例における被試験デバイス２０は、中継部２８が接続状態における２つの外部端子２４の間の経路の伝達特性を、切替部２６により接続された外部端子２４と内部端子３２との間の経路の伝達特性と同一とすることができる。
【００２９】
なお、切替スイッチ４０、入力側中継スイッチ４２及び出力側中継スイッチ４４のそれぞれは、半導体スイッチであってよい。また、切替スイッチ４０、入力側中継スイッチ４２及び出力側中継スイッチ４４のそれぞれは、経路を接続及び切断するデバイスに加えて、増幅器、減衰器、バッファ及びフィルタ等を含む構成であってよい。
【００３０】
また、外部端子２４と内部端子３２との間に含まれるスイッチの数、及び、２つの外部端子２４の間に含まれるスイッチの数は、互いに同数であれば、２個以上であってもよい。また、外部端子２４と内部端子３２との間に含まれるスイッチの数は、２つの外部端子２４の間に含まれるスイッチの数の所定数倍（１倍、２倍、３倍、…）であってもよい。このような場合であっても、中継部２８の接続状態の伝達特性をスイッチの倍数分乗算すれば、外部端子２４と内部端子３２との間の経路の伝達特性を算出できるので、被試験デバイス２０は、中継部２８の接続状態の伝達特性を、外部端子２４と内部端子３２のそれぞれとの間の経路の伝達特性の算出基準とさせることができる。
【００３１】
試験装置１０は、供給部６２と、取得部６４と、試験部６６と、測定部６８と、補償部７０とを備える。試験装置１０は、試験時において、被試験デバイス２０の外部端子２４（入力側の外部端子２４−１及び出力側の外部端子２４−２）に接続する。
【００３２】
供給部６２は、波形データが与えられ、与えられた波形データに応じた信号を被試験デバイス２０の入力側の外部端子２４−１に供給する。供給部６２は、一例として、供給側演算部７２と、ＤＡコンバータ７４とを有する。
【００３３】
供給側演算部７２は、試験部６６から波形データが与えられ、与えられた波形データに補償部７０により指定された補償演算を行う。そして、供給側演算部７２は、補償演算をした波形データをＤＡコンバータ７４に供給する。
【００３４】
ＤＡコンバータ７４は、供給側演算部７２または測定部６８から波形データが与えられる。ＤＡコンバータ７４は、与えられた波形データをＤＡ変換して、与えられた波形データに応じたアナログの信号を生成する。そして、ＤＡコンバータ７４は、生成した信号を入力側の外部端子２４−１に供給する。
【００３５】
取得部６４は、被試験デバイス２０から信号を取得して、取得した信号に応じた波形データを出力する。取得部６４は、一例として、ＡＤコンバータ７６と、取得側演算部７８とを有する。
【００３６】
ＡＤコンバータ７６は、被試験デバイス２０の出力側の外部端子２４−２から出力された信号が与えられ、与えられた信号をＡＤ変換して、与えられた信号に応じた波形データを生成する。ＡＤコンバータ７６は、生成した波形データを測定部６８または取得側演算部７８に供給する。
【００３７】
取得側演算部７８は、ＡＤコンバータ７６から波形データが与えられ、与えられた波形データに対して補償部７０により指定された補償演算を行う。取得側演算部７８は、補償演算をした波形データを試験部６６に供給する。
【００３８】
試験部６６は、被試験回路２２の試験時において、外部端子２４及び切替部２６を介して被試験回路２２へ信号を供給し、または、切替部２６及び外部端子２４を介して被試験回路２２から出力信号を取得する。より詳しくは、試験部６６は、被試験デバイス２０内の切替部２６及び中継部２８を制御して、被試験回路２２の試験対象となる内部端子３２と入力側の外部端子２４−１との間を接続する。そして、試験部６６は、供給部６２に波形データを与えて、供給部６２に波形データに応じた信号を出力させる。これにより、試験部６６は、外部端子２４及び切替部２６を介して被試験回路２２へ信号を供給することができる。
【００３９】
また、試験部６６は、被試験デバイス２０内の切替部２６及び中継部２８を制御して、被試験回路２２の試験対象となる内部端子３２と出力側の外部端子２４−２との間を接続する。そして、試験部６６は、取得部６４が取得した信号に応じた波形データを、当該取得部６４から受け取る。これにより、試験部６６は、切替部２６及び外部端子２４を介して被試験回路２２から信号を取得することができる。更に、試験部６６は、取得した信号の波形データが期待データに一致するか否かを判定してもよい。
【００４０】
測定部６８は、中継部２８を接続状態に制御して、２つの外部端子２４を介して中継部２８の伝達特性を測定する。なお、測定部６８は、中継部２８の伝達特性として、中継部２８の直流入出力特性を測定してもよい。また、測定部６８は、中継部２８の伝達特性として、所定周波数範囲の伝達特性を測定してもよい。
【００４１】
補償部７０は、外部端子２４及び切替部２６を介して被試験回路２２へと供給すべき信号、又は、切替部２６及び外部端子２４を介して被試験回路２２から取得した信号を、測定部６８が測定した中継部２８の伝達特性に基づき補償する。例えば、補償部７０は、中継部２８の伝達特性に基づき生成された補償データを供給側演算部７２に与えて、試験部６６から与えられた波形データを補償データに応じて補償させる。また、補償部７０は、中継部２８の伝達特性に基づき生成された補償データを取得側演算部７８に与えて、ＡＤコンバータ７６が生成した波形データを補償データに応じて補償させる。
【００４２】
図２は、中継部２８の伝達特性の測定時における試験装置１０の処理フローの一例を示す。中継部２８の伝達特性の測定において、まず、測定部６８は、被試験デバイス２０の中継部２８を接続状態とし、被試験回路２２の全ての内部端子３２と外部端子２４との間を切断する（Ｓ１０１）。本例においては、測定部６８は、入力側中継スイッチ４２及び出力側中継スイッチ４４を接続状態とし、切替スイッチ４０の全てを切断状態とする。
【００４３】
続いて、測定部６８は、２つの外部端子２４を介して中継部２８の伝達特性を測定する（Ｓ１０２）。本例においては、直列接続された入力側中継スイッチ４２及び出力側中継スイッチ４４の合成の伝達特性を測定する。
【００４４】
測定部６８は、ステップＳ１０２において、より詳しくは、次のような処理を行う。即ち、測定部６８は、予め定められた波形の校正用信号を供給部６２により入力側の外部端子２４−１に供給させ、中継部２８を通過した後の校正用信号を出力側の外部端子２４−２から取得部６４により取得させる。そして、測定部６８は、入力側の外部端子２４−１に供給した校正用信号の波形データ、及び、出力側の外部端子２４−２から取得した中継部２８を通過した後の校正用信号の波形データに基づき、中継部２８の伝達特性を算出する。例えば、供給した校正用信号をＡ（ｆ）、取得した中継部２８を通過した後の校正用信号をＢ（ｆ）と表わす場合（ｆは周波数）、測定部６８は、下記式（１）で表わされる演算を行って中継部２８の伝達特性（Ｄ（ｆ））を算出してよい。
【００４５】
Ｄ（ｆ）＝Ｂ（ｆ）／Ａ（ｆ）  …（１）
なお、測定部６８は、例えばランプ波の校正用信号を用いて中継部２８の直流入出力特性を測定してもよい。このようにして、測定部６８は、中継部２８の伝達特性を測定することができる。
【００４６】
続いて、測定部６８は、測定した中継部２８の伝達特性に基づき、外部端子２４と試験対象となる内部端子３２との間の経路の歪みを補償する補償データを生成する（Ｓ１０３）。中継部２８の伝達特性が、外部端子２４と試験対象となる内部端子３２との間の経路の伝達特性と同一である場合、測定部６８は、中継部２８の伝達特性の逆特性を、補償データとして生成してよい。そして、測定部６８は、生成した補償データを補償部７０に与えて記憶させる。
【００４７】
図３は、被試験回路２２の試験における試験装置１０の処理フローの一例を示す。被試験回路２２の試験において、まず、試験部６６は、被試験デバイス２０の中継部２８を切断状態とする（Ｓ２０１）。本例においては、試験部６６は、ＡＤＣモードにおいては入力側中継スイッチ４２を切断し、ＤＡＣモードにおいては出力側中継スイッチ４４を切断する。
【００４８】
続いて、ＤＡＣモードにおいて、試験部６６は、試験対象となる内部端子３２と入力側の外部端子２４−１とを接続する（Ｓ２０２）。本例においては、試験部６６は、試験対象となる内部端子３２に対応する切替スイッチ４０を接続状態とし、試験対象以外の内部端子３２に対応する切替スイッチ４０を切断状態とする。
【００４９】
続いて、ＤＡＣモードにおいて、試験部６６は、試験対象となる内部端子３２に与えるべき信号の波形データを発生する。そして、補償部７０は、試験部６６により発生された波形データを補償データに応じて補償して、ＤＡコンバータ７４に与える（Ｓ２０３）。補償部７０は、一例として、試験対象となる内部端子３２に与えるべき信号の波形を表す波形データに、中継部２８の伝達特性の逆特性を表す補償データを重畳する処理をしてよい。
【００５０】
続いて、ＤＡＣモードにおいて、ＤＡコンバータ７４は、補償された波形データをＤＡ変換する。そして、ＤＡコンバータ７４は、補償された波形データに応じた信号を入力側の外部端子２４−１に供給する（Ｓ２０４）。このようにして、試験装置１０は、ＤＡＣモードにおいて、入力側の外部端子２４−１と試験対象となる内部端子３２との間の経路の歪みを予め補償した信号を入力側の外部端子２４−１へ供給することができる。
【００５１】
一方、ＡＤＣモードにおいて、試験部６６は、試験対象となる内部端子３２と出力側の外部端子２４−２とを接続する（Ｓ２０５）。本例においては、試験部６６は、試験対象となる内部端子３２に対応する切替スイッチ４０を接続状態とし、試験対象以外の内部端子３２に対応する切替スイッチ４０を切断状態とする。
【００５２】
続いて、ＡＤＣモードにおいて、ＡＤコンバータ７６は、出力側の外部端子２４−２から出力された信号をＡＤ変換する。そして、ＡＤコンバータ７６は、出力側の外部端子２４−２から出力された信号に応じた波形データを出力する（Ｓ２０６）。
【００５３】
続いて、ＡＤＣモードにおいて、補償部７０は、ＡＤコンバータ７６により出力された波形データを補償データに応じて補償して、試験部６６に与える（Ｓ２０７）。補償部７０は、一例として、出力側の外部端子２４−２から出力された信号の波形を表す波形データに、中継部２８の伝達特性の逆特性を表す補償データを重畳する処理をしてよい。そして、補償部７０は、補償された波形データを試験部６６に供給する。このようにして、試験装置１０は、出力側の外部端子２４−２から取得した信号における、試験対象となる内部端子３２と出力側の外部端子２４−２との間の経路の歪みを補償することができる。
【００５４】
以上説明したように、試験装置１０によれば、被試験デバイス２０に備えられる試験用の２つの外部端子２４を介して、多数の内部端子３２に信号を供給し、又は、多数の内部端子３２から信号を取得することができる。
【００５５】
更に、試験装置１０は、予め測定した中継部２８の伝達特性に基づいて、外部端子２４と試験対象となる内部端子３２との間の経路で生じる歪みを補償する。これにより、試験装置１０によれば、内部端子３２に対して目的の波形の信号を精度良く供給し、内部端子３２から出力された信号を精度良く取得することができる。よって、試験装置１０によれば、被試験デバイス２０を精度良く試験することができる。
【００５６】
また、被試験デバイス２０は、試験用のハードウェアとして、切替部２６及び中継部２８を備えればよいので、試験用の冗長な回路構成を少なくし、コストを低くすることができる。また、被試験回路２２内の任意の回路点を試験対象とする場合、当該任意の回路点と外部端子２４との間にスイッチを設ければよいので、被試験デバイス２０は、設計が容易である。また、被試験デバイス２０は、試験対象とする内部端子３２の数を増やしても追加される経路が少ないので、配線容量が増加せず信号経路の劣化が小さい。
【００５７】
また、試験装置１０は、当該試験装置１０に備えるＤＡコンバータ７４及びＡＤコンバータ７６を用いて被試験デバイス２０を試験するので、内部に備えたＤＡコンバータ及びＡＤコンバータを用いて自己診断するデバイスと比較して、精度良く且つ高速な試験をすることができる。また、試験装置１０は、外部端子２４と試験対象となる内部端子３２との間の経路が、比較的に歪が大きい場合であっても（例えば、単純なソースフォロア回路等の精度の比較的に悪いバッファ、増幅器、減衰器及びフィルタ等を含む経路の場合であっても）、補償をするので、精度良く試験をすることができる。また、試験装置１０が補償をするので、被試験デバイス２０の切替部２６および中継部２８は、比較的に歪が大きいが耐圧が高いスイッチを有することができる。また、試験装置１０は、オープンループにより補償をするので、比較的に安定した高帯域な信号を補償することができる。
【００５８】
図４は、本実施形態の第１変形例に係る試験装置１０及び被試験デバイス２０の構成を示す。本変形例に係る試験装置１０及び被試験デバイス２０は、図１に示した試験装置１０及び被試験デバイス２０と略同一の構成及び機能を採るので、図１に示した試験装置１０及び被試験デバイス２０が備える部材と略同一の構成及び機能の部材に同一の符号を付け、以下相違点を除き説明を省略する。
【００５９】
本変形例に係る切替部２６は、少なくとも１つの入力側切替スイッチ４６と、少なくとも１つの出力側切替スイッチ４８とを有する。それぞれの入力側切替スイッチ４６は、試験において試験装置１０から信号が供給される少なくとも１つの内部端子３２のそれぞれに対応して設けられる。それぞれの入力側切替スイッチ４６は、入力側の外部端子２４−１と対応する内部端子３２との間を接続又は切断する。
【００６０】
それぞれの出力側切替スイッチ４８は、試験において試験装置１０により信号が取得される少なくとも１つの内部端子３２のそれぞれに対応して設けられる。それぞれの出力側切替スイッチ４８は、出力側の外部端子２４−２と対応する内部端子３２との間を接続又は切断する。
【００６１】
また、本変形例に係る中継部２８は、中継スイッチ５０を有する。中継スイッチ５０は、入力側の外部端子２４−１と出力側の外部端子２４−２との間を接続又は切断する。
【００６２】
ここで、それぞれの入力側切替スイッチ４６、それぞれの出力側切替スイッチ４８、及び、中継スイッチ５０は、互いに同一の特性を有する。従って、入力側の外部端子２４−１と試験において試験装置１０から信号が供給されるそれぞれの内部端子３２との間、及び、入力側の外部端子２４−１と出力側の外部端子２４−２との間は、互いに同一特性のスイッチを介して接続される。また、出力側の外部端子２４−２と試験において試験装置１０により信号が取得されるそれぞれの内部端子３２との間、及び、入力側の外部端子２４−１と出力側の外部端子２４−２との間は、互いに同一特性のスイッチを介して接続される。
【００６３】
なお、それぞれの入力側切替スイッチ４６、それぞれの出力側切替スイッチ４８及び中継スイッチ５０は、半導体スイッチであってよい。また、それぞれの入力側切替スイッチ４６、それぞれの出力側切替スイッチ４８及び中継スイッチ５０は、経路を接続及び切断するデバイスに加えて、増幅器、減衰器、バッファ及びフィルタ等を含む構成であってよい。
【００６４】
本変形例に係る試験装置１０の測定部６８は、中継部２８の伝達特性の測定において、中継スイッチ５０を接続状態とし、入力側切替スイッチ４６及び出力側切替スイッチ４８の全てを切断状態とする。これにより、測定部６８は、２つの外部端子２４を介して中継部２８の伝達特性を測定することができる。
【００６５】
また、本変形例に係る試験装置１０の試験部６６は、被試験回路２２の試験において、中継スイッチ５０を切断状態とする。また、試験部６６は、ＤＡＣモードにおいて、試験対象となる内部端子３２に対応する入力側切替スイッチ４６を接続状態とし、試験対象以外の内部端子３２に対応する入力側切替スイッチ４６を切断状態とする。
【００６６】
また、本変形例に係る試験装置１０の試験部６６は、ＡＤＣモードにおいて、試験対象となる内部端子３２に対応する出力側切替スイッチ４８を接続状態とし、試験対象以外の内部端子３２に対応する出力側切替スイッチ４８を切断状態とする。
【００６７】
このような被試験デバイス２０は、試験用の外部端子２４の数を少なくすることができる。更に、被試験デバイス２０は、外部の試験装置１０に対して、中継部２８の伝達特性を測定させて、外部端子２４と試験対象となる内部端子３２との間の信号歪みを補償した試験をさせることができる。これにより、試験装置１０によれば、内部端子３２に対して目的の波形の信号を精度良く供給し、内部端子３２から出力された信号を精度良く取得することができる。
【００６８】
図５は、本実施形態の第２変形例に係る試験装置１０及び被試験デバイス２０の構成を示す。本変形例に係る試験装置１０及び被試験デバイス２０は、図４に示した試験装置１０及び被試験デバイス２０と略同一の構成及び機能を採るので、図４に示した試験装置１０及び被試験デバイス２０が備える部材と略同一の構成及び機能の部材に同一の符号を付け、以下相違点を除き説明を省略する。
【００６９】
本変形例に係る切替部２６は、少なくとも１つの入力側切替スイッチ４６と、少なくとも１つの出力側切替スイッチ４８とを有する。それぞれの入力側切替スイッチ４６及び出力側切替スイッチ４８は、試験において、試験装置１０から信号が供給され及び試験装置１０により信号が取得される少なくとも１つの内部端子３２のそれぞれに対応して設けられる。
【００７０】
それぞれの入力側切替スイッチ４６は、入力側の外部端子２４−１と対応する内部端子３２との間を接続又は切断する。それぞれの出力側切替スイッチ４８は、それぞれの出力側切替スイッチ４８は、出力側の外部端子２４−２と対応する内部端子３２との間を接続又は切断する。
【００７１】
ここで、本例において、中継スイッチ５０と入力側切替スイッチ４６とは、互いに同一の特性を有する。しかし、中継スイッチ５０と出力側切替スイッチ４８とは、互いに同一の特性を有さなくてよい。即ち、出力側の外部端子２４−２と試験において試験装置１０により信号が取得されるそれぞれの内部端子３２との間と、入力側の外部端子２４−１と出力側の外部端子２４−２との間とは、同一特性のスイッチを介して接続されなくてよい。
【００７２】
図６は、第２変形例に係る試験装置１０の、中継部２８の伝達特性の測定時における処理フローの一例を示す。中継部２８の伝達特性の測定において、まず、測定部６８は、中継スイッチ５０を接続状態、入力側切替スイッチ４６の全てを切断状態、及び、出力側切替スイッチ４８の全てを切断状態とする（Ｓ３０１）。
【００７３】
続いて、測定部６８は、２つの外部端子２４を介して中継部２８（本例においては、中継スイッチ５０）の伝達特性を測定する（Ｓ３０２）。続いて、測定部６８は、測定した中継スイッチ５０の伝達特性に基づき、外部端子２４と試験対象となる入力側切替スイッチ４６との間の経路の歪みを補償する第１の補償データを生成する（Ｓ３０３）。
【００７４】
続いて、測定部６８は、中継スイッチ５０を切断状態、入力側切替スイッチ４６を接続状態、及び、出力側切替スイッチ４８を接続状態する。これにより、測定部６８は、入力側の外部端子２４−１と出力側の外部端子２４−２との間に、入力側切替スイッチ４６及び出力側切替スイッチ４８を経由したループバック経路を形成することができる（Ｓ３０４）。
【００７５】
続いて、測定部６８は、形成したループバック経路の伝達特性を、中継部２８の伝達特性に基づき補償された信号を入力側の外部端子２４−１に供給して、測定する（Ｓ３０５）。これにより、測定部６８は、出力側切替スイッチ４８の伝達特性を測定することができる。
【００７６】
続いて、測定部６８は、測定したループバック経路の伝送特性に基づき、内部端子３２と出力側の外部端子２４−２との間の経路の歪みを補償する第２の補償データを生成する（Ｓ３０６）。測定部６８は、一例として、ループバック経路の伝達特性（即ち、出力側切替スイッチ４８の伝達特性）の逆特性を、補償データとして生成してよい。そして、測定部６８は、生成した第１及び第２の補償データを補償部７０に与えて記憶させる。
【００７７】
図７は、第２変形例に係る試験装置１０の、被試験回路２２の試験における処理フローの一例を示す。被試験回路２２の試験において、まず、試験部６６は、被試験デバイス２０の中継部２８（本例においては、中継スイッチ５０）を切断状態とする（Ｓ４０１）。
【００７８】
続いて、ＤＡＣモードにおいて、試験部６６は、試験対象となる内部端子３２に対応する入力側切替スイッチ４６を接続状態とし、試験対象以外の内部端子３２に対応する入力側切替スイッチ４６を切断状態とする（Ｓ４０２）。続いて、ＤＡＣモードにおいて、試験部６６は、試験対象となる内部端子３２に与えるべき信号の波形データを発生する。そして、補償部７０は、試験部６６により発生された波形データを、第１の補償データに応じて補償して、ＤＡコンバータ７４に与える（Ｓ４０３）。
【００７９】
続いて、ＤＡＣモードにおいて、ＤＡコンバータ７４は、補償された波形データに応じた信号を入力側の外部端子２４−１に供給する（Ｓ４０４）。このようにして、試験装置１０は、ＤＡＣモードにおいて、入力側の外部端子２４−１と試験対象となる内部端子３２との間の経路の歪みを予め補償した信号を入力側の外部端子２４−１へ供給することができる。
【００８０】
一方、ＡＤＣモードにおいて、試験部６６は、試験対象となる内部端子３２に対応する出力側切替スイッチ４８を接続状態とし、試験対象以外の内部端子３２に対応する出力側切替スイッチ４８を切断状態とする。続いて、ＡＤＣモードにおいて、ＡＤコンバータ７６は、出力側の外部端子２４−２から出力された信号をＡＤ変換して、出力側の外部端子２４−２から出力された信号に応じた波形データを出力する（Ｓ３０６）。
【００８１】
続いて、ＡＤＣモードにおいて、補償部７０は、ＡＤコンバータ７６により出力された波形データを、第２の補償データに応じて補償して、試験部６６に与える（Ｓ２０７）。このようにして、試験装置１０は、ＡＤＣモードにおいて、出力側の外部端子２４−２から取得した信号における、試験対象となる内部端子３２と出力側の外部端子２４−２との間の経路の歪みを補償することができる。
【００８２】
このような被試験デバイス２０は、試験用の外部端子２４の数を少なくすることができる。更に、被試験デバイス２０は、外部の試験装置１０に対して、中継部２８の伝達特性を測定させて、外部端子２４と試験対象となる内部端子３２との間の信号歪みを補償した試験をさせることができる。これにより、試験装置１０によれば、内部端子３２に対して目的の波形の信号を精度良く供給し、内部端子３２から出力された信号を精度良く取得することができる。
【００８３】
図８は、本実施形態の第３変形例に係る試験装置１０及び被試験デバイス２０の構成を示す。本変形例に係る試験装置１０及び被試験デバイス２０は、図１に示した試験装置１０及び被試験デバイス２０と略同一の構成及び機能を採るので、図１に示した試験装置１０及び被試験デバイス２０が備える部材と略同一の構成及び機能の部材に同一の符号を付け、以下相違点を除き説明を省略する。
【００８４】
本変形例に係る試験装置１０は、試験装置本体１００と、接続装置２００とを備える。試験装置本体１００は、図１に示す試験装置１０と同様の機能及び構成を有する。接続装置２００は、試験装置本体１００と被試験デバイス２０との間を設けられ、被試験デバイス２０及び試験装置本体１００を電気的に接続する。接続装置２００は、一例として、試験装置本体１００上に装着されるボード等であってよい。
【００８５】
接続装置２００は、２つの外部端子２４（入力側の外部端子２４−１および出力側の外部端子２４−２）と、中継部２８と、切替制御部３０とを有する。また、被試験デバイス２０は、被試験回路２２と、切替部２６とを有する。即ち、本変形例に係る接続装置２００は、図１に示す被試験デバイス２０が備えていた部材である、２つの外部端子２４、中継部２８および切替制御部３０を、被試験デバイス２０に代わって有する。このような本変形例に係る試験装置１０および被試験デバイス２０は、図１に示される試験装置１０および被試験デバイス２０と同様に、試験用端子の数を少なくし、且つ、試験用端子を介した経路の補償により精度良く試験をすることができる。
【００８６】
図９は、本実施形態の第４変形例に係る試験装置１０及び被試験ウエハ３２０の構成を示す。本変形例に係る試験装置１０及び被試験デバイス２０は、図１に示した試験装置１０及び被試験デバイス２０と略同一の構成及び機能を採るので、図１に示した試験装置１０及び被試験デバイス２０が備える部材と略同一の構成及び機能の部材に同一の符号を付け、以下相違点を除き説明を省略する。
【００８７】
本変形例に係る試験装置１０は、被試験ウエハ３２０に形成された被試験回路２２を試験する。試験装置１０は、試験ウエハ３３０と、接続ウエハ３４０とを備える。被試験ウエハ３２０、試験ウエハ３３０および接続ウエハ３４０は、それぞれが、円板状の基板であって、例えばシリコン、化合物半導体、その他の材料の半導体基板である。被試験ウエハ３２０、試験ウエハ３３０および接続ウエハ３４０は、半導体プロセスにより製造される。
【００８８】
被試験ウエハ３２０は、それぞれが半導体プロセスにより形成された１又は複数の被試験回路２２を有する。それぞれの被試験回路２２は、被試験ウエハ３２０から切り出されて個別のデバイスであってもよいし、個別のデバイス内に含まれる回路であってもよい。
【００８９】
試験ウエハ３３０は、半導体プロセスにより形成された試験回路３５０を有する。試験回路３５０は、被試験回路２２と信号を授受し、図１に示す試験装置１０と同様の機能及び構成を有する。即ち、本変形例に係る被試験ウエハ３２０は、図１に示す被試験デバイス２０が備えていた被試験回路２２を１又は複数個有する。
【００９０】
接続ウエハ３４０は、試験回路３５０と被試験回路２２とを電気的に接続する。接続ウエハ３４０は、それぞれが半導体プロセスにより形成された、２つの外部端子２４（入力側の外部端子２４−１および出力側の外部端子２４−２）と、切替部２６と、中継部２８と、切替制御部３０とを有する。
【００９１】
接続ウエハ３４０の２つの外部端子２４には、試験ウエハ３３０の試験回路３５０が接続される。接続ウエハ３４０の切替部２６は、被試験ウエハ３２０内の１又は複数のそれぞれにおける被試験回路２２の少なくとも１つの内部端子３２のうち、試験対象とする内部端子３２を外部端子２４に接続する。即ち、本変形例に係る接続ウエハ３４０は、図１に示す被試験デバイス２０に設けられていた、２つの外部端子２４、中継部２８および切替制御部３０を有する。
【００９２】
このような本変形例に係る試験装置１０は、多数の針状のプローブを有する装置を用いずに、ウエハ状のデバイスを試験することができる。そして、本変形例に係る試験装置１０および被試験ウエハ３２０は、図１に示される試験装置１０および被試験デバイス２０と同様に、試験用端子の数を少なくし、且つ、試験用端子を介した経路の補償により精度良く試験をすることができる。
【００９３】
図１０は、本実施形態の第５変形例に係る試験装置１０及び被試験デバイス２０の構成を示す。本変形例に係る試験装置１０及び被試験デバイス２０は、図１に示した試験装置１０及び被試験デバイス２０と略同一の構成及び機能を採るので、図１に示した試験装置１０及び被試験デバイス２０が備える部材と略同一の構成及び機能の部材に同一の符号を付け、以下相違点を除き説明を省略する。
【００９４】
本変形例に係る被試験デバイス２０は、パターン検出部８０と、検出応答部８２とを更に備える。パターン検出部８０は、外部の試験装置１０から入力側の外部端子２４−１に与えられた予め定められた波形パターンの信号を検出する。検出応答部８２は、パターン検出部８０が予め定められた波形パターンを検出したことに応じて、検出した波形パターンに対応する応答信号を出力側の外部端子２４−２を介して試験装置１０に出力する。パターン検出部８０及び検出応答部８２は、外部端子２４から中継部２８側を見たインピーダンスと比較して十分に低いインピーダンスを有する。即ち、パターン検出部８０及び検出応答部８２は、負荷が十分に小さい。
【００９５】
また、本変形例に係る切替制御部３０は、パターン検出部８０が予め定められた波形パターンの信号を検出したことに応じて、切替部２６及び中継部２８の接続又は切断の状態を制御する。例えば、切替制御部３０がＣＰＵにより実現される場合、当該切替制御部３０は、パターン検出部８０による検出結果をバス等を介して受け取ってもよい。
【００９６】
本変形例に係る試験装置１０は、設定部８４を更に備える。設定部８４は、切替部２６及び中継部２８を指定した接続状態とさせるための波形パターンを、入力側の外部端子２４−１に与える。より詳しくは、設定部８４は、供給部６２に設定データを与えて、供給部６２に設定データに応じた波形パターンの信号を出力させる。
【００９７】
また、設定部８４は、被試験デバイス２０の出力側の外部端子２４−２から所定の応答信号を検出したことに応じて、中継部２８の伝達特性の測定又は被試験回路２２の試験を開始させる。より詳しくは、設定部８４は、取得部６４が取得した信号に応じた波形データを当該取得部６４から取得して、応答信号を検出したか否かを判断する。
【００９８】
このような設定部８４は、中継部２８の伝達特性の測定又は被試験回路２２の試験に先立って、次の処理を実行する。まず、設定部８４は、切替部２６及び中継部２８を指定した接続状態に切り替えるための指定された波形パターンの信号を、入力側の外部端子２４−１に与える。この場合において、設定部８４は、測定又は試験において発生される信号とは相関の無い波形の信号を発生することが好ましい。
【００９９】
続いて、パターン検出部８０は、入力側の外部端子２４−１から与えられた指定された波形パターンの信号を検出する。パターン検出部８０は、一例として、信号の０，１のパターンをコンパレータ等により検出して、指定された波形パターンの信号が与えられたか否かを判断してよい。
【０１００】
パターン検出部８０が指定された波形パターンを検出すると、切替制御部３０は、中継部２８及び切替部２６を、当該波形パターンにより指定された接続状態に切り替える。また、パターン検出部８０が指定された波形パターンを検出すると、検出応答部８２は、指定された波形パターンを検出したことを示す応答信号を出力側の外部端子２４−２に与える。このとき、切替制御部３０は、中継部２８を切断状態にする（例えば、切替制御部３０は、入力側中継スイッチ４２又は出力側中継スイッチ４４の少なくとも一方を切断する）。
【０１０１】
設定部８４は、出力側の外部端子２４−２から応答信号を受け取ると、切替制御部３０が切替部２６及び中継部２８を指定した接続状態に切り替えたと判断して、試験部６６又は測定部６８に開始指示を与える。これにより、試験部６６及び測定部６８は、中継部２８及び切替部２６が指定した接続状態に切り替えられた後に、中継部２８の伝達特性の測定又は被試験回路２２の試験をすることができる。
【０１０２】
また、設定部は、中継部２８の伝達特性の測定又は被試験回路２２の試験が終了したことに応じて、同様の処理を行ってもよい。これにより、設定部８４は、測定又は試験の終了後において、中継部２８及び切替部２６を例えば初期の接続状態に戻すことができる。なお、切替制御部３０は、測定又は試験が終了した後、予め定められた時間を経過した後に初期の接続状態に戻してもよい。これにより、切替制御部３０は、確実に測定又は試験が完了した後に、接続状態を初期状態に戻すことができる。
【０１０３】
このように本変形例に係る試験装置１０は、被試験デバイス２０を測定又は試験する場合において、外部端子２４から信号を与えて中継部２８及び切替部２６の接続状態を切り替えることができる。これにより、被試験デバイス２０が備える端子数を少なくすることができる。
【０１０４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【０１０５】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【０１０６】
１０  試験装置、２０  被試験デバイス、２２  被試験回路、２４  外部端子、２６  切替部、２８  中継部、３０  切替制御部、３２  内部端子、４０  切替スイッチ、４１  共通接点、４２  入力側中継スイッチ、４４  出力側中継スイッチ、４６  入力側切替スイッチ、４８  出力側切替スイッチ、５０  中継スイッチ、６２  供給部、６４  取得部、６６  試験部、６８  測定部、７０  補償部、７２  供給側演算部、７４  ＤＡコンバータ、７６  ＡＤコンバータ、７８  取得側演算部、８０  パターン検出部、８２  検出応答部、８４  設定部、１００  試験装置本体、２００  接続装置、３２０  被試験ウエハ、３３０  試験ウエハ、３４０  接続ウエハ、３５０  試験回路
【図１】
0005411872.tif 000002
【図２】
0005411872.tif 000003
【図３】
0005411872.tif 000004
【図４】
0005411872.tif 000005
【図５】
0005411872.tif 000006
【図６】
0005411872.tif 000007
【図７】
0005411872.tif 000008
【図８】
0005411872.tif 000009
【図９】
0005411872.tif 000010
【図１０】
0005411872.tif 000011